(57)【要約】  【課題】  小型化が可能な構造のカード用コネクタを提供する。  【解決手段】  カード挿入部４０の一側に設けられたスライド部材５１と、スライド部材５１のスライドによって圧縮するコイルスプリング５２とを備え、スライド部材５１が、カード挿入部４０に挿入されたカード１の側縁部と係合してカード１と一体となってカード１の挿入、排出方向２、３でスライド可能とされ、コイルスプリング５２が、スライド部材５１がカード１の挿入方向２にスライドした際に圧縮され、その弾発力がスライド部材５１をカード１の排出方向３に付勢するようにカード用コネクタがこうせいされる。コイルスプリング５２は、長手方向の一側面がスライド部材５１のカード１側の壁面５１４と直接対向し、他側面がカード１のスライド部材５１側の側端面６と直接対向するように配置され、圧縮される際の蛇行若しくは屈曲変形がスライド部材５１のカード１側の壁面５１４とカード１のスライド部材５１側の側端面６で防止されている。【選択図】  図１
2006190564.tif 000002
【特許請求の範囲】
【請求項１】
カード挿入部（４０）の一側に設けられたスライド部材（５１）と、スライド部材（５１）のスライドによって圧縮するコイルスプリング（５２）とを備え、
前記スライド部材（５１）が、カード挿入部（４０）に挿入されたカード（１）の側縁部と係合してカード（１）と一体となってカード（１）の挿入、排出方向でスライド可能とされ、
前記コイルスプリング（５２）が、スライド部材（５１）がカード（１）の挿入方向にスライドした際に圧縮され、その弾発力がスライド部材（５１）をカード（１）の排出方向に付勢するようにされているカード用コネクタにおいて、
前記コイルスプリング（５２）は、長手方向の一側面がスライド部材（５１）のカード（１）側の壁面（５１４）と直接対向し、他側面がカード（１）のスライド部材（５１）側の側端面（６）と直接対向するように配置され、圧縮される際の蛇行若しくは屈曲変形がスライド部材（５１）のカード（１）側の壁面（５１４）とカード（１）のスライド部材（５１）側の側端面（６）で防止されていることを特徴とするカード用コネクタ。
【発明の詳細な説明】
【技術分野】
【０００１】
この発明は、メモリーカード、ＩＣカード等のカード状媒体と、プリント回路基板等の回路基板を接続する部分で使用されるカード用コネクタに関する。
【背景技術】
【０００２】
従来、この種のカード用コネクタには種々の構成のものが知られているが、特に、携帯電話機その他の携帯用小型機器では、ハートカムの構造を利用した、いわゆるプッシュ／プッシュ形式のカード排出機構を備えたカード用コネクタ（例えば、特許文献１、２参照）が多用されている。
【０００３】
プッシュ／プッシュ形式のカード排出機構を備えた従来のカード用コネクタは、概ね図８のように構成されていた。図において、８１がカードである。このカード８１のためのカード挿入部８２が、端子やシェルカバー（これらは図に表れていない）を支持するハウジング８３の底壁上に形成されて、カード８１が矢示８４の方向に挿入でき、そして矢示８５の方向に排出できるようにされている。また、カード挿入部８２の一側にスライド部材８６が設けられていると共に、このスライド部材８６のスライドによって圧縮するコイルスプリング８７が設けられている。
【０００４】
スライド部材８６はカード８１の挿入、排出方向でスライド可能となっており、カード挿入部８２にカード８１を挿入すると、スライド部材８６がカード８１の側縁部と係合して、カード８１と一体となってスライドする。また、カード８１の挿入によってスライド部材８６がカード８１の挿入方向（矢示８４）にスライドすると、コイルスプリング８７が圧縮され、その弾発力がスライド部材８６をカード８１の排出方向（矢示８５）に付勢するようにされている。
【０００５】
プッシュ／プッシュ形式のカード排出機構は、前記スライド部材８６を介して構成され、スライド部材８６の一面に形成したハートカム溝８８に、ハウジング８３側にピボット軸支されて延びているピン部材８９の係合ピンを係合している。
【０００６】
【特許文献１】特開２００１−３６１７３５号公報（図１、２）
【特許文献２】特開２００３−２４３０９０号公報（図１、２）
【発明の開示】
【発明が解決しようとする課題】
【０００７】
上記のように、カード８１の挿入によってコイルスプリング８７を圧縮し、その弾発力をカード８１の排出力とするものにおいては、コイルスプリング８７を圧縮する際に、コイルスプリング８７が蛇行若しくは屈曲するという、いわゆる暴れる傾向がある。このため、従来のカード用コネクタでは、コイルスプリング８７の一側をハウジング８３の外側壁やハウジング８３に被嵌されるシェルカバー（図示されていない）の側板と対向させると共に、他側は図８に表れているように、スライド部材８６に延設されたガイド壁９０と対向させてコイルスプリング８７を挟み、コイルスプリング８７が挿入、排出方向に沿って真直ぐに圧縮できるようにしている。尚、コイルスプリング８７の上側及び下側は、ハウジング８３の底壁とシェルカバーの頂板にそれぞれ対向しており、上下方向では暴れない構造となっている。
【０００８】
このように、コイルスプリング８７が真直ぐに圧縮するように、スライド部材８６にガイド壁９０を延設した従来のカード用コネクタは、ガイド壁９０がコネクタの小型化の障害となっていた。この発明はこのような事情に鑑みてなされたもので、小型化が可能な構造のカード用コネクタを提供することを目的としている。
【課題を解決するための手段】
【０００９】
上記の目的は、カード挿入部の一側に設けられたスライド部材と、スライド部材のスライドによって圧縮するコイルスプリングとを備え、前記スライド部材が、カード挿入部に挿入されたカードの側縁部と係合してカードと一体となってカードの挿入、排出方向でスライド可能とされ、前記コイルスプリングが、スライド部材がカードの挿入方向にスライドした際に圧縮され、その弾発力がスライド部材をカードの排出方向に付勢するようにされているカード用コネクタにおいて、前記コイルスプリングは、長手方向の一側面がスライド部材のカード側の壁面と直接対向し、他側面がカードのスライド部材側の側端面と直接対向するように配置され、圧縮される際の蛇行若しくは屈曲変形がスライド部材のカード側の壁面とカードのスライド部材側の側端面で防止されていることを特徴とするカード用コネクタによって達成される。
【発明の効果】
【００１０】
この発明のカード用コネクタによれば、カードの挿入によって圧縮されるコイルスプリングは、長手方向の一側面がスライド部材のカード側の壁面と直接対向し、他側面がカードのスライド部材側の側端面と直接対向するように配置され、圧縮される際の蛇行若しくは屈曲変形がスライド部材のカード側の壁面とカードのスライド部材側の側端面で防止されている構成としたので、スライド部材にガイド壁を延設しない構造となって、コネクタの幅方向（図８において左右の方向）の小型化の障害を除くことができる。また、コイルスプリングはスライド部材の延長上には配置されない構造でもあるので、コネクタの長手方向（カードの挿入、排出方向、図８において上下の方向）の小型化にも資することができる。
【発明を実施するための最良の形態】
【００１１】
以下、この発明の実施の形態を添付の図を参照して説明する。
【００１２】
図１は、実施形態のカード用コネクタを、シェルカバー（図４）を取り外した状態で、カード１と共に示した平面図である。カード用コネクタは、ハウジング１０と、ハウジング１０に並列して装着された複数の端子２０と、ハウジング１０に被せるようにして組み付けられるシェルカバー３０とで構成されている。
【００１３】
ハウジング１０は、プラスチック等の絶縁性部材で図のように成形したもので、底壁１１を備え、底壁１１に形成した端子装着溝１２に端子２０が装着されている。端子２０は、薄金属板を打ち抜いて成形したもので、端子装着溝１２に係合する装着部２１からコンタクト片２２が片持ち梁状に延びていると共に、コンタクト片２２と反対の方向にテール部２３が延びている。端子２０を１本づつ各端子装着溝１２に、コンタクト片２２側から装着すると、各コンタクト片２２は、先端側に行くほど底壁１１から離れるように、斜め上方に延び、反対側のテール部２３は底壁１１の下面よりやや下側のレベルで整列するようになっている。
【００１４】
シェルカバー３０は、図４に示したように、ステンレス板などの金属板を成形したもので、ハウジング１０の底壁１１を略覆う大きさの方形の頂板３１と、頂板３１の両側縁から略直角に垂下している側板３２、３３とを備えている。側板３２、３３には係合窓３４、３４が複数、開口しており、ハウジング１０の立ち上がり側壁１３（図５参照）の外面及び、立ち上がり側壁１３と反対側の側壁１４の外面に、それぞれ設けられている係合突部１５、１５と係合して、シェルカバー３０をハウジング１０に一体に組み付けられるようにしてある。
【００１５】
端子２０を装着したハウジング１０にシェルカバー３０を組み付けると、端子２０を装着した部分に、ハウジング１０の底壁１１とシェルカバー３０の頂板３１で上下を仕切られたカード挿入部４０が形成され、このカード挿入部４０にカード１を矢示２の方向で挿入し、そして矢示３の方向で排出できるようになっている。
【００１６】
プッシュ／プッシュ形式のカード排出機構５０がカード挿入部４０の一側に設けられている。カード排出機構５０は、カード挿入部４０の一側に配置されたスライド部材５１と、コイルスプリング５２と、図示されていないピン部材（図８参照）とで構成されている。
【００１７】
スライド部材５１は、ハウジング１０の立ち上がり側壁１３の内面に沿うように配置される直方体状の本体部５１１と、カード１の挿入方向前端側縁部に形成されている極性決め用切欠部４の斜切縁５に対応させて平面直角三角形状とした係合部５１２とを有している。このようなスライド部材５１が、ハウジング１０の底壁１１上に、本体部５１１を立ち上がり側壁１３の内面に沿わせて設置され、前記矢示２、３のカード１の挿入、排出方向にスライド可能とされている。
【００１８】
コイルスプリング５２は、上記のようにスライド可能に設置されたスライド部材５１とハウジング１０間に、カード１の挿入、排出方向に向けて設置されている。即ち、ハウジング１０の後壁１６に、スライド部材５１の係合部５１２と対向するように円柱状のボス１６１が設けられると共に、係合部５１２にもこのボス１６１と対向するようにボス５１３が設けられており、コイルスプリング５２の一方の端部がボス１６１に嵌められ、他方の端部がボス５１３に嵌められて、ボス１６１、５１３の間でコイルスプリング５２が伸縮できるようにされている。
【００１９】
コイルスプリング５２の周囲について説明すると、ハウジング１０の立ち上がり側壁１３側の一側面は、スライド部材５１の本体部５１１のカード１側の壁面５１４に隙間５１５（図５参照）を介して直接対向すると共に、反対側の他側面は、図２、３、５に表れているように、カード挿入部４０に挿入されたカード１の、スライド部材５１側の側端面６に隙間５１６（図５参照）を介して直接対向するようにされている。コイルスプリング５２の上側面は、シェルカバー３０の頂板３１下面に直接対向し、下側面はハウジング１０の底壁１１上面に直接対向するのは言うまでもない。
【００２０】
コイルスプリング５２の弾発力でスライドするスライド部材５１のスライドを停止できるように、ハウジング１０の底壁１１上の、スライド部材５１のスライド経路上にブロック状のストッパ部１７が設けられている。底壁１１と立ち上がり側壁１３と一体で設けられている。このストッパ部１７にピン部材（図示せず）の一端をピボット軸支するための軸受孔１７１が設けられ、この軸受孔１７１にピボット軸支されたピン部材の自由端が、前記スライド部材５１を構成した直方体状の本体部５１１の上面に形成されているハートカム溝５１７に係合している。
【００２１】
前記スライド部材５１には、更に係合フック５３が設けられている。この係合フック５３は、係合部５１２からカード１の排出方向に片持ち梁状に延びている。係合フック５３の先端には、図６に示されているように、テーパ面５３１を備えたフック部５３２が設けられている。カード１を挿入すると、図６に鎖線で示したように、係合フック５３が下側に弾性変形した後復帰して、フック部５３２がカード１の側端部中間部分に形成した切欠部７に係合して、カード１をスライド部材５１にロックできるようになっている。
【００２２】
上記のように構成したカード用コネクタのカード挿入部４０にカード１を挿入すると、先ず、カード１の斜切縁５がスライド部材５１の係合部５１２に係合すると同時に、係合フック５３のフック部５３２がカード１の切欠部７に係合して、カード１とスライド部材５１が一体となる。そして更に挿入を続けると、図２、３に示したように、カード１と共にスライド部材５１がコイルスプリング５２を圧縮しながらカード１の挿入方向にスライドする。このようなコイルスプリング５２の圧縮に際しては、コイルスプリング５２の一側面がスライド部材５１の本体部５１１のカード１側の壁面５１４に直接対向し、他側面はカード１のスライド部材５１側の側端面６に直接対向しているために、コイルスプリング５２の蛇行若しくは屈曲といった暴れる挙動が、スライド部材５１の本体部５１１の壁面５１４またはカード１の側端面６によって防止される。コイルスプリング５２は、その長手方向に沿って真直ぐに変形する。
【００２３】
斯くして、コイルスプリング５２とカード一との間には隙間５１６のみが介在する構造として、コイルスプリング５２の暴れる挙動を防止するためのガイド壁の如くの構造物は存在しないようにしたので、それだけコネクタの幅方向（図１において左右の方向）の小型化の障害をなくすることができる。コネクタの長手方向（図１において上下の方向）についても、コイルスプリング５２がスライド部材５１の本体部５１１の延長方向ではなく、本体部５１１の横方向に隣接するように配置される構造となるので、カード１の挿入完了状態を表している図３において、カード１の前端面８からハウジング１０の後壁１６までの距離Ｘを可及的に短くすることが可能で、コネクタの長手方向の小型化にも寄与することができる。
【００２４】
図７は、この発明の第２の実施形態の、図３に相当する図である。前記の実施形態では、係合フック５３がカード１の下面に沿って延びるようにしたが、この第２の実施形態では、係合フック５４がカード１の側方に延び、フック部５４２が切欠部７の外側から横方向で突入して係合、ロックするようにしている。他の構成は前記実施形態と同様であるので、同一の符号を付すことで説明は省略する。
【図面の簡単な説明】
【００２５】
【図１】この発明の第１の実施形態のカード用コネクタの、カード１を挿入する前の状態を、シェルカバーを取り外して示した平面図である。
【図２】同じく、カードを途中まで挿入した状態の平面図である。
【図３】同じく、カードを完全に挿入した状態の平面図である。
【図４】この発明の第１の実施形態のカード用コネクタを構成するシェルカバーの斜視図である。
【図５】図２のＡ−Ａ線に沿って示した拡大断面図である。
【図６】スライド部材に設けた係合フックを説明する図である。
【図７】この発明の第２の実施形態のカード用コネクタの、図３に相当する平面図である。
【図８】従来のカード用コネクタの、シェルカバーを取り外して示した平面図である。
【符号の説明】
【００２６】
１          カード
４          極性決め用切欠部
５          斜切縁
６          側端面
７          切欠部
８          前端面
１０        ハウジング
１１        底壁
１２        端子装着溝
１３        立ち上がり側壁
１４        側壁
１５        係合突部
１６        後壁
１６１      ボス
２０        端子
２１        装着部
２２        コンタクト片
２３        テール部
３０        シェルカバー
３１        頂板
３２        側壁
３３        側壁
３４        係合窓
４０        カード挿入部
５０        カード排出機構
５１        スライド部材
５１１      本体部
５１２      係合部
５１３      ボス
５１４      壁面
５１５      隙間
５１６      隙間
５１７      ハートカム溝
５２        コイルスプリング
５３        係合フック
５３１      テーパ面
５３２      フック部
５４        係合フック
５４２      フック部
【図１】
2006190564.tif 000003
【図２】
2006190564.tif 000004
【図３】
2006190564.tif 000005
【図４】
2006190564.tif 000006
【図５】
2006190564.tif 000007
【図６】
2006190564.tif 000008
【図７】
2006190564.tif 000009
【図８】
2006190564.tif 000010